(57)【要約】  【課題】  ６０コマのインタレース信号に含まれている２４コマソースの映像信号の判定感度を最適化させる。  【解決手段】  ２４コマ判定回路１０から出力する２４コマ判定信号Ｃが過去３０秒間に「１」（２４コマソース判定）であった合計時間ＤＴを検出し、その時間ＤＴに応じて感度基準値設定回路２０により比較器１３の感度基準値ＲＥＦを決める。時間ＤＴが大きければＲＥＦを小さく、小さければ大きくする。【選択図】  図１
2006020119.tif 000002
【特許請求の範囲】
【請求項１】
入力した６０コマのインタレース信号が２４コマソース又は３０コマソースの映像信号であるときプルダウン判定信号を能動にするプルダウン判定回路と、現時点から過去所定時間内の該プルダウン判定信号が能動になった合計時間を検出して前記プルダウン判定回路の感度基準値を設定する感度基準値設定回路とを具備することを特徴とするプルダウン検出回路。
【請求項２】
請求項１に記載のプルダウン検出回路において、
前記感度基準値設定回路は、前記判定信号が能動になった合計時間が大きいときは前記プルダウン判定回路の判定感度が高くなるように前記感度基準値を設定し、前記合計時間が小さいときは前記判定感度が低くなるよう前記感度基準値を設定することを特徴とするプルダウン検出回路。
【請求項３】
請求項１又は２に記載のプルダウン検出回路において、
前記感度基準値設定回路は、現時点のプルダウン判定信号が能動のときは前記合計時間が前記所定時間未満のとき前記合計時間を１単位時間だけ加算し、非能動のときは前記合計時間が０以外のとき１単位時間だけ減算し、前記合計時間に応じて前記感度基準値を設定することを特徴とするプルダウン検出回路。
【発明の詳細な説明】
【技術分野】
【０００１】
本発明は、現在入力しているＮＴＳＣ、４８０Ｉ、１０８０Ｉなどの６０コマのインタレース（以下、「６０コマのインタレース」と呼ぶ）方式の映像信号がプルダウンされた映像信号か否かを検出するプルダウン検出回路に関するものである。
【背景技術】
【０００２】
毎秒２４コマのフィルム映像を６０コマのインタレース方式に変換する場合は、１つのコマを奇数フィールド用、偶数フィールド用として２回読み出し、次の１つのコマを奇数フィールド用、偶数フィールド用、奇数フィールド用として３回読み出し、これを繰り返すこと（２-３プルダウン処理）で行われる。また、毎秒３０コマのフィルム映像を６０コマのインタレース方式に変換する場合は、１つのコマを奇数フィールド用、偶数フィールド用として２回読み出し、これを繰り返すこと（２-２プルダウン処理）で行われる。
【０００３】
一方、プラズマディスプレイ装置（ＰＤＰ装置）では順次走査（プログレッシブ）が行われるので、６０コマのインタレース方式の映像をＰＤＰ装置で表示させる場合は、６０コマのインタレース方式の毎秒６０コマのフィールド信号を毎秒６０コマのフレーム信号に変換する順次走査変換（ＩＰ変換：インターレース→プログレッシブ変換）が必要となる。
【０００４】
このＩＰ変換では、毎秒６０コマのフィールド信号を倍速変換して前後の２つのフィールドの画像を１/６０秒で重ね合わせることにより、毎秒６０コマのフレーム信号を得ることができる。そして、その重ね合わせを同じコマから設定された奇数フィールドと偶数フィールドで行うと、原画と同等な画質の順次走査の信号に変換できる。
【０００５】
このため、２４コマソースや３０コマソースの映像信号と通常の映像信号を含む６０コマのインタレース方式の信号を順次走査のフレーム信号に変換するＩＰ変換装置では、現在のフィールド信号が２４コマソースの映像信号か否か、あるいは３０コマソースの映像信号か否か、つまりプルダウンされた映像信号か否かを検出する必要がある。
【０００６】
上記のような２４コマソースや３０コマソースの映像信号を検出する回路はプルダウン検出回路と呼ばれる。このようなプルダウン検出回路をＩＰ変換装置に組み込むことにより、入力信号のソースに応じたＩＰ変換を行うことが出来る。
【０００７】
上記したプルダウン検出回路には通常オン／オフ設定があり、オン設定しているときは入力信号のソースを自動判別してプルダウン検出の処理するか否かを決定するようになっている。入力信号のソース判別には、フィールド間差分値の大小が利用されるが、極力誤差検出を少なくするために、疑わしい映像にはプルダウン処理を行わないように、判定感度を設定している。これは入力信号ソースが２４コマソースや３０コマソース以外の場合にプルダウン処理すると、すだれ状等の見苦しい映像となることがあるためである。
【０００８】
そして、上記判定感度によって一旦プルダウンと判定された後はその判定感度を切り替えてその判定が外れ難くなるようヒステリシス特性を持たせる（例えば特許文献１参照）ことや、入力ソースのノイズレベルその他の条件によって判定感度を切り替えること（例えば特許文献２参照）等が行われている。
【特許文献１】特開平４−７２９６６号公報
【特許文献２】特開２００３−１７９８８４号公報
【発明の開示】
【発明が解決しようとする課題】
【０００９】
ところが、２４コマソースや３０コマソースの映像にノイズ等がない場合でも、静止画のシーンや暗いシーンが続く場合にはフィールド間差分値が小さくなり、プルダウン検出が行われないことがある。
【００１０】
例えば、入力映像信号がＤＶＤの映像（２４コマソース）であれば、全編にプルダウン処理を行うことが望ましい。しかし、通常のプルダウン検出回路はフィールド間差分値の大小パターンを判定して行うため、動きの少ない映像や暗い映像等のようにフィールド間差分値の変化が小さくなると、２４コマソースを検出できなくなることがある。さらに、この判定は現時点の入力状態のみで行っているために、それ以降もＤＶＤの映像が続くのか否かを判断することも難しい。
【００１１】
本発明の目的は、プルダウン検出の判定感度を現時点より過去所定時間内のプルダウン判定結果に応じて調整できるようにして、上記したような問題を解決したプルダウン検出回路を提供することである。
【課題を解決するための手段】
【００１２】
請求項１にかかる発明のプルダウン検出回路は、入力した６０コマのインタレース信号が２４コマソース又は３０コマソースの映像信号であるときプルダウン判定信号を能動にするプルダウン判定回路と、現時点から過去所定時間内の該プルダウン判定信号が能動になった合計時間を検出して前記プルダウン判定回路の感度基準値を設定する感度基準値設定回路とを具備することを特徴とする。
【００１３】
請求項２にかかる発明は、請求項１に記載のプルダウン検出回路において、前記感度基準値設定回路は、前記判定信号が能動になった合計時間が大きいときは前記プルダウン判定回路の判定感度が高くなるように前記感度基準値を設定し、前記合計時間が小さいときは前記判定感度が低くなるよう前記感度基準値を設定することを特徴とする。
【００１４】
請求項３にかかる発明は、請求項１又は２に記載のプルダウン検出回路において、前記感度基準値設定回路は、現時点のプルダウン判定信号が能動のときは前記合計時間が前記所定時間未満のとき前記合計時間を１単位時間だけ加算し、非能動のときは前記合計時間が０以外のとき１単位時間だけ減算し、前記合計時間に応じて前記感度基準値を設定することを特徴とする。
【発明の効果】
【００１５】
本発明のプルダウン検出回路によれば、過去所定時間内のプルダウン判定信号が能動になった合計時間に応じてプルダウンの判定感度が調整されるので、過去のプルダウン判定結果を効果的に反映させることができ、過去のソースに応じてその後のソースを予測した判定ができる。また、前記したように２４コマソースや３０コマソースの映像に、静止画のシーンや暗いシーンが続き、フィールド間差分値が小さくなりプルダウン検出が行われ難い場合でも、感度を高くしてプルダウン検出を行われ易くできる。
【発明を実施するための最良の形態】
【００１６】
本発明では、現時点から過去の一定時間内におけるプルダウン判定結果により、今後も同じソースの映像が続くのか否かを判断し、判定感度を調整して、プルダウンを検出し易くあるいは検出し難くする。
【実施例】
【００１７】
図１は本発明の一つの実施例の２４コマ用プルダウン検出回路のブロック図である。１０は２４コマ判定回路であり、２４コマ検出回路１１、積分回路として機能するアップダウン形式のカウンタ１２、および比較器１３からなる。２４コマ検出回路１１は、６０コマのインタレース方式のフィールド信号Ａを入力してそのフィールド間差分を検出することにより、２４コマソースの検出／非検出を行う。２４コマソースのフィールド信号の場合は、５フィールドに１回「１」が出力し、それ以外では「０」が出力するパターンが検出できるので、前５フィールド分の検出信号を加算した値が「１」のときは２４コマソース、それ以外は他のソースであると検出判断することにより、２４コマソースのときは２４コマ検出信号Ｂを「１」にし、検出しないときは「０」にする。
【００１８】
この２４コマ検出信号Ｂはフィールド毎に出力し、それが「１」のときはカウンタ１２がアップカウントされ、「０」のときはダウンカウントされる。このカウンタ１２では、アップカウントは「１」が１回あたり１づつ行われるが、ダウンカウントは「０」が１回あたり例えば１０づつ行われるというように、アップカウントに対してダウンカウントは重みが付けられている。この結果、２４コマソースの検出が継続して行われるときはカウンタ１２はアップカウントを継続し最終的には最大のカウント値までアップカウントするが、２４コマソースが非検出のときはカウント値を急速に低下させ最終的にはゼロまでカウントダウンさせる。
【００１９】
カウンタ１２のカウント値は比較器１３において感度基準値ＲＥＦと比較され、カウント値が感度基準値ＲＥＦより大きいときは２４コマ判定信号Ｃが「１」（能動）を示し、そうでないとき「０」（非能動）を示す。
【００２０】
よって、感度基準値ＲＥＦを小さくすれば、２４コマ検出信号Ｂが長い期間に亘って「１」を示した後にノイズ等により時々「０」を示すような場合でも、２４コマ判定信号Ｃは安定して「１」を示し、２４コマソースの検出外れを防止するフィルタ機能が発揮され、２４コマソースの判定感度が高くなる。しかし、２４コマ検出信号Ｂが継続して「０」を示すようになったら、急速に２４コマ判定信号Ｃを「０」にする。また、感度基準値ＲＥＦを大きくすれば、上記フィルタ機能が弱まり、２４コマ判定信号Ｃが「１」になり難く、つまり２４コマソースの判定感度が低下する。
【００２１】
２０はこの感度基準値ＲＥＦを設定する感度基準値設定回路であり、２４コマ判定信号Ｃが過去例えばＴ１の期間に亘って、合計どれだけの時間だけ「１」であったかによって、感度基準値ＲＥＦを決定する。図２に示すように、２４コマ判定信号Ｃが「１」であった期間を○、「０」であった期間を×とし、Ｔ１の期間を３０秒とすると、○の期間の合計が０〜１０秒の範囲のときは感度基準値をＲＥＦ＝Ｒ１、１１〜２０秒の範囲のときはＲＥＦ＝Ｒ２、２１〜３０秒の範囲のときはＲＥＦ＝Ｒ３に設定する。Ｒ１，Ｒ２，Ｒ３はＲ１＞Ｒ２＞Ｒ３の関係にある。
【００２２】
以上から、過去に２４コマ判定信号Ｃが「１」を示した時間が長いほど感度基準値ＲＥＦが小さくなって感度が高くなり、２４コマ判定信号Ｃが続けて出力されるようになる。このため、２４コマソースのフィールド信号を入力しているときに、その２４コマソースの映像が静止画や暗いシーンで若干継続する場合でも、２４コマ判定信号Ｃが「０」になるような事態を防止できる。
【００２３】
図３は感度基準値設定回路２０の処理のフローチャートである。この処理は１秒間隔で実行される。まず、現時点での２４コマ判定信号Ｃが「１」か否かをステップＳ１で判断し、「０」のときは、過去３０秒間のうち２４コマ判定信号Ｃが「１」になった時間ＤＴがＤＴ＝０か否かをステップＳ４で判断し、ＤＴ＝０のときはステップＳ６により、感度基準値をＲ１に設定する。２４コマ判定信号Ｃが「０」であるかぎり、１秒毎にこれが繰り返され、感度基準値はＲ１から変化しない。
【００２４】
さらに１秒が経過した時点で、２４コマ判定信号Ｃが「１」になったときは、ステップＳ１からステップＳ２に移る。このときは、ＤＴ≠３０であるので、ステップＳ３により現在のＤＴ（＝０）に１が加算される。これは現時点での現時点の２４コマ判定信号Ｃが「１」であるためである。このときは、ＤＴ＝１であり、ステップＳ６により感度基準値はＲ１から変化しない。
【００２５】
これ以降、２４コマ判定信号Ｃが「１」を示すかぎり上記処理が繰り返されて、ＤＴ≦１０であれば感度基準値はＲ１のままであるが、１１＜ＤＴ≦２０になればＲ２となり、２１＜ＤＴになればＲ３となる。
【００２６】
一方、２４コマ判定信号Ｃが「１」となっていた状態から「０」になったときは、ステップＳ１からステップＳ２に移る。ここでＤＴ≠０であるので、現在のＤＴから１だけ減算が行われ、この減算結果についてステップＳ６あるいはＳ７により、感度基準値がＲ１〜Ｒ３のいずれかに設定される。なお、以上において、ＤＴ最大値は３０（ステップＳ２）、最小値は０（ステップＳ４）である。
【００２７】
なお、以上の説明では、現在入力しているフィールド信号が２４コマソースか否かを検出する２４コマ用プルダウン検出回路について説明したが、３０コマ用プルダウン検出回路は、図１の２４コマ検出回路１１を３０コマ検出回路に置き換えれることにより構成することができる。
【図面の簡単な説明】
【００２８】
【図１】本実施例の２４コマ用プルダウン検出回路のブロック図である。
【図２】本実施例の感度基準値設定のための説明図である。
【図３】感度基準値設定処理のフローチャートである。
【符号の説明】
【００２９】
１０：２４コマ判定回路、１１：２４コマ検出回路、１２：カウンタ、１３：比較器
２０：感度準値設定回路
【図１】
2006020119.tif 000003
【図２】
2006020119.tif 000004
【図３】
2006020119.tif 000005